(57)【要約】【課題】コーティング種子を製造するのに、コーティング種子を良好なコーティング精度で容易かつ楽に得ることが可能な種子コーティング剤供給装置を提供する。【解決手段】移動用車輪１，２及び手押し用の固定ハンドル４を有した機体３と、種子コーティング剤を貯留するコーティング剤タンク１１と、コーティング剤タンク１１から種子コーティング剤を繰り出す繰出し部１３と、繰出し部１３からの種子コーティング剤を流下させて供給口１２ａから種子コーティング容器４１に落下させる供給シュータ１２と、繰出し部１３による繰出し量を設定する繰出し量設定手段と、繰出し部１３による繰出し量が設定繰出し量になるように、繰出し運転を制御する繰出し制御手段とを備えてある。供給口１２ａが繰出し部１３に対して固定ハンドル４が位置する側とは反対側に位置する。【選択図】図１
2014135912.tif 000002
【特許請求の範囲】
【請求項１】
移動用車輪を有した機体と、
前記機体の後部に設けた手押し用の固定ハンドルと、
前記機体に支持され、種子コーティング剤を貯留するコーティング剤タンクと、
前記コーティング剤タンクから種子コーティング剤を繰り出す繰出し部と、
前記繰出し部に対して前記固定ハンドルが位置する側とは反対側に位置した供給口を有すると共に前記供給口側ほど低い配置高さに位置する傾斜姿勢で前記機体に支持され、前記繰出し部からの種子コーティング剤を流下させて前記供給口から種子コーティング容器に落下させる供給シュータと、
前記繰出し部による繰出し量を設定する繰出し量設定手段と、
前記繰出し部による繰出し量が前記繰出し量設定手段による設定繰出し量になるように、繰出し運転を制御する繰出し制御手段とを備えてある種子コーティング剤供給装置。
【請求項２】
前記機体に、前記移動用車輪を有した基部機体と、前記基部機体に昇降自在に取り付けられ、前記コーティング剤タンク、前記繰出し部及び前記供給シュータを支持する昇降機体部とを備え、
前記昇降機体部を昇降操作して、前記基部機体に対する前記昇降機体部の取り付け高さを変更調節する昇降操作機構を備えてある請求項１に記載の種子コーティング剤供給装置。
【請求項３】
前記供給シュータを筒状に構成し、
前記供給シュータの平面視形状を、前記供給口側の横幅が基端側の横幅よりも狭い先細り形状にしてある請求項１又は２に記載の種子コーティング剤供給装置。
【請求項４】
前記供給シュータに、底側部とこの底側部に対して開閉自在な上側部とを備えてある請求項３に記載の種子コーティング剤供給装置。
【請求項５】
前記繰出し制御手段を、前記設定繰出し量の種子コーティング剤を複数回に分けて間欠的に繰り出させるべく繰出し運転を制御するように構成してある請求項１〜４のいずれか一項に記載の種子コーティング剤供給装置。
【請求項６】
前記種子コーティング容器に水を噴霧する噴霧ノズルを備えてある請求項１〜５のいずれか一項に記載の種子コーティング剤供給装置。
【請求項７】
前記噴霧ノズルの先端が前記供給口よりも前記供給シュータの基端側に位置している請求項６に記載の種子コーティング剤供給装置。
【請求項８】
前記噴霧ノズルによる給水量を設定する給水量設定手段と、
前記噴霧ノズルによる給水量が前記給水量設定手段による設定給水量になるように、給水運転を制御する給水制御手段とを備えてある請求項６又は７に記載の種子コーティング剤供給装置。
【請求項９】
前記給水制御手段を、前記設定給水量の水を複数回に分けて間欠的に噴霧させるべく給水運転を制御するように構成してある請求項８に記載の種子コーティング剤供給装置。
【請求項１０】
前記種子コーティング容器に対する前記機体の機体前後方向及び機体横方向での位置決めを行なう位置決め部を備えてある請求項１〜９のいずれか一項に記載の種子コーティング剤供給装置。
【発明の詳細な説明】
【技術分野】
【０００１】
本発明は、種子コーティング剤供給装置に関する。
【背景技術】
【０００２】
従来、例えば特許文献１に示されるように、種子コーティング容器としてのドラム容器を備えた種子コーティング装置があった。
【先行技術文献】
【特許文献】
【０００３】
【特許文献１】特開２０１２−２１７４０９号公報
【発明の概要】
【発明が解決しようとする課題】
【０００４】
上記した種子コーティング装置によって例えば鉄コーティング種子を製造するには、種子コーティング装置が備える種子コーティング容器としてのドラム容器に種子を投入し、種子を種子コーティング容器によって撹拌させながら、種子コーティング剤としての鉄粉などを種子コーティング容器に供給するのであるが、種子コーティング剤の供給を人為作業によって行なわねばならない場合、種子コーティング容器に投入した種子量に対応した所定量の種子コーティング剤を準備する計量を行わねばならず、手間が掛かる。また、種子コーティング剤の供給に不慣れである場合、コーティングむらなどのコーティング不良が発生し易い。
【０００５】
本発明の目的は、コーティング種子を製造するのに、コーティング種子を良好なコーティング精度で容易かつ楽に得ることが可能な種子コーティング剤供給装置を提供することにある。
【課題を解決するための手段】
【０００６】
本発明による種子コーティング剤供給装置は、
移動用車輪を有した機体と、
前記機体の後部に設けた手押し用の固定ハンドルと、
前記機体に支持され、種子コーティング剤を貯留するコーティング剤タンクと、
前記コーティング剤タンクから種子コーティング剤を繰り出す繰出し部と、
前記繰出し部に対して前記固定ハンドルが位置する側とは反対側に位置した供給口を有すると共に前記供給口側ほど低い配置高さに位置する傾斜姿勢で前記機体に支持され、前記繰出し部からの種子コーティング剤を流下させて前記供給口から種子コーティング容器に落下させる供給シュータと、
前記繰出し部による繰出し量を設定する繰出し量設定手段と、
前記繰出し部による繰出し量が前記繰出し量設定手段による設定繰出し量になるように、繰出し運転を制御する繰出し制御手段とを備えてあることを特徴とする。
【０００７】
本構成によると、固定ハンドルによる手押しを行なえば、機体が移動用車輪によって移動することにより、機体をコーティング容器に向けて楽に移動操作できる。供給シュータが供給口側ほど低い傾斜姿勢で支持されており、かつ供給シュータの供給口が繰出し部に対して固定ハンドルが位置する側とは反対側に位置しているから、供給シュータの供給口を種子コーティング容器の入り口に入り込むなど、種子コーティング容器に対して位置合わせした状態に操作し易い。供給口が種子コーティング容器に対する位置合わせ状態になると、繰出し制御手段による繰出し運転の制御を開始させることにより、繰出し部がコーティング剤タンクから設定繰出し量の種子コーティング剤を繰り出し、この設定繰出し量の種子コーティング剤が供給シュータによって種子コーティング容器に供給されるから、種子コーティングに必要な所定量の種子コーティング剤が種子コーティング容器に自動的に供給される。
【０００８】
従って、本発明によると、機体をコーティング容器に向けて楽に移動操作できると共に供給シュータの種子コーティング容器に対する位置合わせが行い易いのであり、繰出し運転の制御を開始させるだけで所定量の種子コーティング剤が種子コーティング容器に自動的に供給されるのであり、コーティングむらなどのコーティング不良が少ない良好なコーティング精度のコーティング種子を容易かつ楽に得ることができる。
【０００９】
本発明において、前記機体に、前記移動用車輪を有した基部機体と、前記基部機体に昇降自在に取り付けられ、前記コーティング剤タンク、前記繰出し部及び前記供給シュータを支持する昇降機体部とを備え、前記昇降機体部を昇降操作して、前記基部機体に対する前記昇降機体部の取り付け高さを変更調節する昇降操作機構を備えると好適である。
【００１０】
本構成によると、昇降操作機構を操作することにより、基部機体に対する昇降機体部の取り付け高さが昇降操作機構によって変更調節され、供給シュータも昇降機体と共に昇降して供給シュータの基部機体に対する取り付け高さも変更調節されるから、種子コーティング容器の入り口高さが異なる場合、供給シュータの取り付け高さを変更調節して、供給シュータの供給口を種子コーティング容器の入り口に位置合わせすることができる。
【００１１】
従って、本発明によると、種子コーティング容器の取り付け高さや取り付け角度が異なる場合でも、昇降操作機構を操作するだけで楽にかつ迅速に供給シュータの供給口を種子コーティング容器に対して位置合わせできる。
【００１２】
本発明において、前記供給シュータを筒状に構成し、前記供給シュータの平面視形状を、前記供給口側の横幅が基端側の横幅よりも狭い先細り形状にすると好適である。
【００１３】
本構成によると、繰出し部からの種子コーティング剤の供給シュータによる受け継ぎを、供給口側よりも横幅が広い基端側によってスムーズに行わせながら、供給シュータが筒状であることにより、かつ供給口側の横幅が基端側よりも狭いことにより、種子コーティング容器に給水される際、飛散する水を供給シュータに入り難くできる。
【００１４】
従って、本発明によると、繰出し部からの種子コーティング剤が供給シュータにスムーズに流入するものでありながら、供給シュータに種子コーティング剤が湿気によって付着して詰まりが発生することを回避し易い。
【００１５】
本発明において、前記供給シュータに、底側部とこの底側部に対して開閉自在な上側部とを備えると好適である。
【００１６】
本構成によると、上側部を開くことにより、供給シュータの内部を開放できる。
【００１７】
従って、本発明によると、供給シュータの内部を開放して容易に清掃できる。
【００１８】
本発明において、前記繰出し制御手段を、前記設定繰出し量の種子コーティング剤を複数回に分けて間欠的に繰り出させるべく繰出し運転を制御するように構成すると好適である。
【００１９】
本構成によると、種子コーティング容器に供給すべき所定量の種子コーティング剤が複数回に分けて徐々に供給されるから、種子に種子コーティング剤を徐々に付着させることができる。
【００２０】
従って、本発明によると、種子に種子コーティング剤を徐々に付着させて、コーティングむらが少ない良好なコーティング精度でコーティング処理できる。
【００２１】
本発明において、前記種子コーティング容器に水を噴霧する噴霧ノズルを備えると好適である。
【００２２】
本構成によると、種子コーティング容器の種子及び種子コーティング剤に給水にするのに、噴霧ノズルに給水するだけで、水を霧状態にしてむらなく供給できる。
【００２３】
従って、本発明によると、噴霧ノズルに給水するだけで操作簡単に、むらなく給水してコーティングむらの発生を回避し易い。
【００２４】
本発明において、前記噴霧ノズルの先端が前記供給口よりも前記供給シュータの基端側に位置すると好適である。
【００２５】
本構成によると、種子コーティング容器の種子及び種子コーティング剤に噴霧ノズルによって給水する際、供給シュータの供給口に対して基端側に離れた箇所から噴出して、霧状に飛散した水が供給シュータに入り難くい。
【００２６】
従って、本発明によると、噴霧ノズルによって給水するものでありながら、供給シュータにおける湿気による種子コーティング剤の付着を回避し易い。
【００２７】
本発明において、前記噴霧ノズルによる給水量を設定する給水量設定手段と、前記噴霧ノズルによる給水量が前記給水量設定手段による設定給水量になるように、給水運転を制御する給水制御手段とを備えると好適である。
【００２８】
本構成によると、給水制御手段を作動させることにより、給水制御手段による給水運転の制御によって設定給水量の水が供給されるから、給水量に過不足がない給水をできる。
【００２９】
従って、本発明によると、給水制御手段を作動させるだけで操作簡単に、給水量に過不足がない状態で給水して、良好なコーティング精度でコーティングできる。
【００３０】
本発明において、前記給水制御手段を、前記設定給水量の水を複数回に分けて間欠的に噴霧させるべく給水運転を制御するように構成すると好適である。
【００３１】
本構成によると、種子コーティング容器に供給すべき所定量の水が複数回に分けて徐々に供給されるから、種子及び種子コーティング剤を適切な含水量の含水状態にして種子に種子コーティング剤を徐々に付着させることができる。
【００３２】
従って、本発明によると、種子に種子コーティング剤を徐々に付着させて、コーティングむらが少ない良好なコーティング精度でコーティング処理できる。
【００３３】
本発明において、前記種子コーティング容器に対する前記機体の機体前後方向及び機体横方向での位置決めを行なう位置決め部を備えると好適である。
【００３４】
本構成によると、位置決め部を作用させることにより、機体と種子コーティング容器との機体前後方向及び機体横方向での位置関係が種子コーティング剤の供給に適切な位置関係に自ずとなる。
【００３５】
従って、本発明によると、位置決め部を作用させるだけで操作簡単に、機体と種子コーティング容器とが種子コーティングに適切な位置関係になり、種子コーティング剤のスムーズな供給を楽に行わせることができる。
【図面の簡単な説明】
【００３６】
【図１】種子コーティング剤供給装置の全体を示す側面図である。
【図２】種子コーティング剤供給装置の全体を示す正面図である。
【図３】供給シュータを示す斜視図である。
【図４】供給シュータを示す側面図である。
【図５】位置決め部を示す平面図である。
【図６】制御系のブロック図である。
【図７】乾燥種モードでの給水運転及び繰出し運転の制御を示すフロー図である。
【図８】浸種モードでの給水運転及び繰出し運転の制御を示すフロー図である。
【図９】給水運転及び繰出し運転のタイムチャートを示す説明図である。
【発明を実施するための形態】
【００３７】
以下、本発明の実施の形態を図面に基づいて説明する。
図１は、本発明の実施例に係る種子コーティング剤供給装置の全体を示す側面図である。図２は、本発明の実施例に係る種子コーティング剤供給装置の全体を示す正面図である。図１，２に示すように、本発明の実施例に係る種子コーティング剤供給装置は、左右一対の移動用車輪１，１を下部の前側に有し、左右一対の移動用車輪２，２を下部の後側に有した機体３と、機体３の上部に配備したコーティング剤タンク１１及び供給シュータ１２を有したコーティング剤供給部１０と、機体３の後部に配備した水タンク２１及び供給シュータ１２の近くに配備した噴霧ノズル２２を有した給水部２０とを備えている。機体３の後部に、機体３における基台部３１の後端部から機体上方向きに突設した固定ハンドル４を設けてある。固定ハンドル４の前方近くであって、コーティング剤タンク１１の下方に位置する箇所に制御ボックス５を配備してある。
【００３８】
この種子コーティング剤供給装置は、水稲用の鉄コーティングされた種子を製造するのに、鉄粉と焼石膏とを混合させて成る種子コーティング剤と水とをコーティングマシン４０に設けられた種子コーティング容器４１に供給するものである。
【００３９】
すなわち、図１に示すように、固定ハンドル４の手押し操作により、機体３を移動用車輪１，２によってコーティングマシン４０に向けて前進移動させ、コーティングマシン４０における基台４２に対する機体３の位置合わせを行う。機体３の基台４２に対する位置合わせ、及び供給シュータ１２の種子コーティング容器４１に対する位置合わせができると、制御ボックス５に設けてあるスタートスイッチ６０（図１，６参照）を操作することにより、後述する制御装置７０が作動し、コーティング剤供給部１０が制御装置７０による制御によって自動的に繰り出し運転を行い、コーティング剤タンク１１に貯留されている種子コーティング剤をコーティング剤タンク１１から繰り出して供給シュータ１２から種子コーティング容器４１に供給する。給水部２０が制御装置７０による制御によって自動的に給水運転を行い、水タンク２１に貯留されている水を水タンク２１から取出して噴霧ノズル２２から種子コーティング容器４１に供給する。
【００４０】
コーティングマシン４０は、種子コーティング容器４１を基台４２によって回転自在に支持すると共に電動モータで成る撹拌モータ４３によって回転駆動するように構成されており、種子コーティング容器４１を回転駆動して種子及び種子コーティング剤を種子コーティング容器４１によって撹拌しながら、種子及び種子コーティング剤に給水しながら種子に種子コーティング剤を付着させる。
【００４１】
機体３について説明する。
機体３は、前後の移動用車輪１，２及び固定ハンドル４を装備した基部機体３０と、基部機体３０に昇降自在に取り付けられ、コーティング剤供給部１０及び制御ボックス５を支持する昇降機体部３５とを備えて構成してある。
【００４２】
基部機体３０は、前後の移動用車輪１，２が下面側に取り付けられ、固定ハンドル４が後端部に取り付けられた平面視で矩形の基台部３１と、基台部３１のうちの固定ハンドル４よりも機体前方側に位置する部位から機体上方向きに突設された左右一対の支柱部３２，３２とを備えている。
【００４３】
昇降機体部３５は、左右一対の支柱フレーム３６，３６と、左右の支柱フレーム３６のうちの下部を連結する連結フレーム３７とを備えている。昇降機体部３５は、左右の支柱フレーム３６の横外側に回転自在に装着された上下一対の輪体３８，３８を備え、基部機体３０の左右の支柱部３２の横内側に円形管を取り付けて設けたガイドレール部３２ａに上下一対の輪体３８，３８を介して昇降自在に取り付けられている。連結フレーム３７は、支柱フレーム３６のうちの輪体３８が取り付けられている部位の背後に連結されており、輪体３８のガイドレール部３２ａに対する離脱を防止するように支柱フレーム３６を輪体３８の背後側で補強する補強機能を備えている。
【００４４】
図２に示すように、基部機体３０における左右の支柱部３２の間に配置した機体上下向きのリフトネジ軸５１と、基台部３１の底面側に配備した電磁ブレーキ付き電動モータで成る昇降モータ５２とを備えて、昇降操作機構５０を構成してある。
【００４５】
リフトネジ軸５１は、基部機体３０の基台部３１と、左右一対の支柱部３２，３２の上端部を連結する連結フレーム３３に設けた支持部とに正逆回転自在に、かつ昇降不能に支持されている。リフトネジ軸５１の下端部と昇降モータ５２の出力軸（図示せず）とがギヤ機構（図示せず）を介して連動されている。リフトネジ軸５１のうちの基台部３１と連結フレーム３３との間に位置する部位に外嵌すると共に係合した筒形の雌ネジ部材５３が昇降機体部３５の連結フレーム３７に固定されている。連結フレーム３３の機体横方向の両端部は、昇降機体部３５の支柱フレーム３６を前後側に迂回して支柱部３２に連結する二股形状になっており、連結フレーム３３は、昇降機体部３５の昇降を可能にしている。
【００４６】
昇降操作機構５０は、昇降モータ５２が正回転方向に駆動されることにより、リフトネジ軸５１が昇降モータ５２によって回転駆動されて雌ネジ部材５３を上昇操作することによって昇降機体部３５を上昇調節し、昇降モータ５２が停止されることにより、リフトネジ軸５１が停止して雌ネジ部材５３を上昇操作した位置に停止させて昇降機体部３５を上昇調節した位置に保持する。つまり、昇降操作機構５０は、昇降モータ５２を正回転方向に駆動操作すると共に停止操作することにより、昇降機体部３５の基部機体３０に対する取り付け高さを上昇調節すると共に調節した取り付け高さに保持する。
【００４７】
昇降操作機構５０は、昇降モータ５２が逆回転方向に駆動されることにより、リフトネジ軸５１が昇降モータ５２によって回転駆動されて雌ネジ部材５３を下降操作することによって昇降機体部３５を下降調節し、昇降モータ５２が停止されることにより、リフトネジ軸５１が停止して雌ネジ部材５３を下降操作した位置に停止させて昇降機体部３５を下降調節した位置に保持する。つまり、昇降操作機構５０は、昇降モータ５２を逆回転方向に駆動操作すると共に停止操作することにより、昇降機体部３５の基部機体３０に対する取り付け高さを下降調節すると共に調節した取り付け高さに保持する。
【００４８】
従って、種子コーティング容器４１の基台４２に対する取り付け角度を変更するとか、種子コーティング容器４１の大きさが異なるコーティングマシン４０を使用するなどにより、種子コーティング容器４１の出し入れ口の大きさや高さが異なる場合、制御ボックス５に設けてある上昇スイッチ６１（図１参照）を操作することにより、昇降操作機構５０が上昇調節側に作動して昇降機体部３５の基部機体３０に対する取り付け高さを上昇調節し、供給シュータ１２の取り付け高さが上昇調節されて、供給シュータ１２の種子コーティング容器４１に対する高さを種子コーティング剤の供給及び給水に適切な高さに上昇調節できる。
【００４９】
一方、制御ボックス５に設けてある下降スイッチ６２（図１参照）を操作することにより、昇降操作機構５０が下降調節側に作動して昇降機体部３５の基部機体３０に対する取り付け高さを下降調節し、供給シュータ１２の取り付け高さが下降調節されて、供給シュータ１２の種子コーティング容器４１に対する高さを種子コーティング剤の供給及び給水に適切な高さに下降調節できる。
【００５０】
図１，５に示すうように、機体３の前部に、基台部３１の前端部から機体前方向き突設した位置決めフレーム５６を有した位置決め部５５を備えてある。
【００５１】
位置決め部５５は、位置決めフレーム５６を備える他、位置決めフレーム５６の機体横向での二箇所から機体前方向きに突設した当接体５７を備えてある。左右の当接体５７は、位置決めフレーム５６に螺着した機体前後向きのネジ軸によって構成してあり、回転操作されることにより、位置決めフレーム５６から機体前方側への突出長さを変更調節できる構造になっている。
【００５２】
図５に実線で示すように、位置決め部５５は、位置決めフレーム５６がコーティングマシン４０の基台４２から外側向きに突設された左右一対の係合アーム４４，４４の間に入り込み、左右の当接体５７が基台４２に当接することにより、作用状態になる。位置決め部５５は、作用状態になると、位置決めフレーム５６と左右一対の係合アーム４４，４４との係合、及び左右の当接体５７と基台４２との当接により、機体３の基台４２に対する機体前後方向及び機体横方向での位置決めを行い、これにより、機体３の種子コーティング容器４１に対する機体前後方向及び機体横方向での位置決めを行い、供給シュータ１２と種子コーティング容器４１との位置関係を、機体前後方向及び機体横方向において種子コーティング剤の供給及び給水に適切な位置関係にする
【００５３】
コーティング剤供給部１０について説明する。
図１，２に示すように、コーティング剤供給部１０は、左右の支柱フレーム３６の上端部に設けた支持部３６ａに下部が連結されたホッパ型のコーティング剤タンク１１と、コーティング剤タンク１１の下部に上部が連結された繰出しケース１３ａを有した繰出し部１３と、繰出し部１３の下方に配置された供給シュータ１２とを備えている。
【００５４】
繰出し部１３は、繰出しケース１３ａを備える他、繰出しケース１３ａの内部に機体横向きの回転軸芯まわり駆動回転自在に設けた繰出し回転体１３ｂを備えている。図１，２に示すように、繰出し回転体１３ｂの回転支軸１３ｃと、支柱フレーム３６の内側に配備された電磁ブレーキ付き電動モータで成る繰出しモータ１４の出力軸１４ａとを、伝動チェーン１５ａを備えた連動機構１５によって連動させてある。連動機構１５は、回転支軸１３ｃの端部に一体回転自在に設けられた入力スプロケット１５ｂと、出力軸１４ａの端部に一体回転自在に設けられた出力スプロケット１５ｃと、両スプロケット１５ｂ，１５ｃに巻回された伝動チェーン１５ａとを備えている。
【００５５】
繰出し回転体１３ｂは、周面に回転方向に所定間隔を隔てて並ぶ状態で設けた繰出し凹部（図示せず）を備えており、繰出し凹部が繰出し回転体の下端部に位置する毎に種子コーティング剤を排出する間欠繰り出しの状態で、かつ各繰出し時の繰出し量が繰出し凹部の容積によって設定される設定繰出し量になる状態で種子コーティング剤の繰り出しを行う。
【００５６】
供給シュータ１２は、基端側が繰出しケース１３ａの下方に位置し、先端側に位置する供給口１２ａが繰出し部１３に対して固定ハンドル４が位置する側とは反対側に位置する配置で、かつ供給口側ほど低い配置高さに位置する前下がりの傾斜姿勢で支持部材１６に支持されている。支持部材１６は、供給シュータ１２の基端側の下方を機体横方向に通る状態で左右の支柱フレーム３６に架設されている。
【００５７】
従って、繰出し部１３は、繰出しモータ１４が駆動されることにより、繰出しモータ１４によって連動機構１５を介して回転駆動される繰出し回転体１３ｂによってコーティング剤タンク１１から種子コーティング剤を間欠的に繰り出し、繰出し回転体１３ｂによって繰り出された種子コーティング剤を、繰出しケース１３ａの下端側から供給シュータ１２の基端側に落下させて供給シュータ１２に沿わせて流下させ、供給シュータ１２の供給口１２ａから種子コーティング容器４１に落下させる。
【００５８】
図３は、供給シュータ１２を示す斜視図である。図４は、供給シュータ１２を示す側面図である。図３，４に示すように、供給シュータ１２は、支持部材１６に固定された底側部１２Ｄと、底側部１２Ｄの上方を覆う上側部１２Ｕとを備えて、種子コーティング剤が内部を流下するように筒状に構成してある。供給シュータ１２の平面視形状を、供給口側の横幅が基端側の横幅よりも狭い先細り形状にしてある。
【００５９】
図３，４に示すように、底側部１２Ｄと上側部１２Ｕとは、供給シュータ１２の基端側において上側部１２Ｕ及び底側部１２Ｄの左右の横壁部どうしを相対回転自在に連結する連結ピン１２ｂを介して連結されており、供給シュータ１２は、開閉自在な構造になっている。
【００６０】
図３，４に二点鎖線で示すように、供給シュータ１２は、上側部１２Ｕを連結ピン１２ｂの機体横向き軸芯まわりに上昇揺動操作することにより、開き状態になり、供給シュータ１２の内部清掃が容易になる。図３，４に実線で示すように、供給シュータ１２は、上側部１２Ｕを連結ピン１２ｂの機体横向き軸芯まわりに下降揺動操作することにより、閉じ状態になる。上側部１２Ｕは透明の樹脂材によって構成してあり、供給シュータ１２の閉じ状態でも、外部から上側部１２Ｕを介して内部を見通すことができる。
【００６１】
給水部２０について説明する。
図１，４に示すように、給水部２０は、基台部３１における固定ハンドル４と支柱部３２との間の部位に載置された水タンク２１と、水タンク２１の上部に配備された電動型の給水ポンプ２３と、給水ポンプ２３に送水ホース２４を介して接続された噴霧ノズル２２とを備えて構成してある。
【００６２】
噴霧ノズル２２は、噴出口が位置する先端２２ａが供給シュータ１２の供給口１２ａよりも供給シュータ１２の基端側に位置する配置で供給シュータ１２の下方に配置してある。噴霧ノズル２２は、供給シュータ１２の下面側に設けた支持部材２５を介して供給シュータ１２に支持されている。
【００６３】
給水部２０は、水タンク２１に貯留された水を、給水ポンプ２３によって送水ホース２４を介して噴霧ノズル２２に圧送し、噴霧ノズル２２の先端２２ａから種子コーティング容器４１に霧状に噴出する。
【００６４】
繰出し制御及び給水制御について説明する。
制御ボックス５に制御装置７０を収容してある。制御装置７０が繰出しモータ１４と共に基部機体３０に対して昇降するように、制御ボックス５を昇降機体部３５に支持させてある。
【００６５】
図６に示すように、制御装置７０に繰出しモータ１４、給水ポンプ２３、スタート手段としてのスタートスイッチ６０及びコース選択手段６３を連係させてある。制御装置７０は、マイクロコンピュータを利用して構成してあり、繰出し制御手段７１、繰出し量設定手段７２、給水制御手段７３、給水量設定手段７４を備えている。
【００６６】
コース選択手段６３は、乾燥種コース位置［乾燥種］と、浸種コース位置［浸種］とに切り換え操作自在な切り換えスイッチによって構成してある。この切り換えスイッチは、制御ボックス５に設けてある。コース選択手段６３は、乾燥種コース位置［乾燥種］に切り換え操作されると、乾燥種モードでの繰出し運転及び給水運転の制御を行わせるべき乾燥種モード指令としの電気号を制御装置７０に出力し、浸種コース位置［浸種］に切り換え操作されると、浸種モードでの繰出し運転及び給水運転の制御を行わせるべき浸種モード指令としての電気信号を制御装置７０に出力する。
【００６７】
スタートスイッチ６０は、制御ボックス５に設けてある。スタートスイッチ６０は、オン操作されると、繰り出し運転及び給水運転の制御を行わせるべき指令を制御装置７０に出力する。
【００６８】
繰出し量設定手段７２は、予め入力して記憶させた乾燥種用繰出しプログラム（Ａ）及び浸種用繰出しプログラム（Ｂ）を備えている。
乾燥種用繰出しプログラム（Ａ）は、浸種処理後に乾燥した種子を鉄コーティング処理するためのものである。乾種用繰出しプログラム（Ａ）には、乾燥した種子を鉄コーティング処理するのに必要な種子コーティング剤の総量を繰出し量として設定した設定繰出し量Ｑ１と、この設定繰出し量Ｑ１の種子コーティング剤を所定の複数回に分けて間欠的に繰り出すための回数と、設定繰出し量Ｑ１の種子コーティング剤を所定の複数回に分けて間欠的に繰り出すための繰出し間隔として設定した設定間隔時間と、設定繰出し量Ｑ１の種子コーティング剤を所定の複数回に分けて間欠的に繰り出すための各回の繰出し量として設定した設定小分け繰出し量とを書き込んである。
【００６９】
浸種用繰出しプログラム（Ｂ）は、浸種処理後の未乾燥の種子を鉄コーティング処理するためのものである。浸種用繰出しプログラム（Ｂ）には、未乾燥の種子を鉄コーティング処理するのに必要な種子コーティング剤の総量を繰出し量として設定した設定繰出し量Ｑ２と、この設定繰出し量Ｑ２の種子コーティング剤を所定の複数回に分けて間欠的に繰り出すための回数と、設定繰出し量Ｑ２の種子コーティング剤を所定の複数回に分けて間欠的に繰り出すための繰出し間隔として設定した設定間隔時間と、設定繰出し量Ｑ２の種子コーティング剤を所定の複数回に分けて間欠的に繰り出すための各回の繰出し量として設定した設定小分け繰出し量とを書き込んである。浸種用繰出しプログラム（Ｂ）の設定繰出し量Ｑ２は、乾燥種用繰出しプログラム（Ａ）の設定繰出し量Ｑ１よりも少量に設定してある。
【００７０】
給水量設定手段７４は、予め入力して記憶させた乾燥種用給水プログラム（Ｃ）及び浸種用給水プログラム（Ｄ）を備えている。
乾燥種用給水プログラム（Ｃ）は、浸種処理後に乾燥した種子を鉄コーティング処理するためのものである。乾燥種用給水プログラム（Ｃ）には、乾燥した種子を鉄コーティング処理するのに必要な水の総量を給水量として設定した設定給水量Ｗ１と、この設定給水量Ｗ１の水を所定の複数回に分けて間欠的に供給する回数と、設定給水量Ｗ１の水を所定の複数回に分けて間欠的に供給するための給水間隔として設定した設定間隔時間と、設定給水量Ｗ１の水を所定の複数回に分けて間欠的に供給するための各回の給水量として設定した設定小分け給水量とを書き込んである。
【００７１】
浸種用給水プログラム（Ｄ）は、浸種処理後の未乾燥の種子を鉄コーティング処理するためのものである。浸種用繰出しプログラム（Ｂ）には、未乾燥の種子を鉄コーティング処理するのに必要な水の総量を給水量として設定した設定給水量Ｗ２と、この設定給水量Ｗ２の水を所定の複数回に分けて間欠的に供給するための回数と、設定給水量Ｗ２の水を所定の複数回に分けて間欠的に供給するための給水間隔として設定した設定間隔時間と、設定給水量Ｗ２の水を所定の複数回に分けて間欠的に供給するための各回の給水量として設定した設定小分け給水量とを書き込んである。浸種用給水プログラム（Ｄ）の設定給水量Ｗ２は、乾燥種用給水プログラム（Ｃ）の設定給水量Ｗ１よりも少量に設定してある。
【００７２】
図７は、乾燥種モードでの給水制御手段７３による給水運転の制御、及び乾燥種モードでの繰出し制御手段７１による繰出し運転の制御を示すフロー図である。
【００７３】
図７に示すように、繰出し制御手段７１及び給水制御手段７３は、コース選択手段６３からの乾燥種モード指令を入力すると、乾燥種モードに切り換わる。給水制御手段７３は、スタートスイッチ６０からの指令を入力すると、給水部２０の給水運転をオン制御し、給水量設定手段７４が備える乾燥種用給水プログラム（Ｃ）に基づいて給水ポンプ２３を後述するように制御して噴霧ノズル２２から種子コーティング容器４１に水を噴出させる。給水制御手段７３は、給水ポンプ２３の駆動時間を基に給水量を計測し、計測給水量Ｗ１Ｋが給水量設定手段７４による乾燥種用の設定給水量Ｗ１に達すると、給水部２０の給水運転をオフ制御し、給水ポンプ２３を停止制御して給水を停止する。
【００７４】
繰出し制御手段７１は、スタートスイッチ６０から指令を入力すると、繰出し部１３の繰出し運転をオン制御し、繰出し量設定手段７２が備える乾燥種用繰出しプログラム（Ａ）に基づいて繰出しモータ１４を後述するように制御して供給シュータ１２から種子コーティング容器４１に種子コーティング剤を供給する。繰出し制御手段７１は、繰出し回転体１３ｂの回転数を検出する回転数センサ２６（図６参照）による検出情報を基に種子コーティング剤の繰出し量を計測し、計測繰出し量Ｑ１Ｋが繰出し量設定手段７２による乾燥種用の設定繰出し量Ｑ１に達すると、繰出し部１３の繰出し運転をオフ制御し、繰出しモータ１４を停止させて種子コーティング剤の供給を停止する。
【００７５】
図８は、浸種モードでの給水制御手段７３による給水運転の制御、及び浸種モードでの繰出し制御手段７１による繰出し運転の制御を示すフロー図である。
【００７６】
図８に示すように、繰出し制御手段７１及び給水制御手段７３は、コース選択手段６３からの浸種モード指令を入力すると、浸種モードに切り換わる。給水制御手段７３は、スタートスイッチ６０からの指令を入力すると、給水部２０の給水運転をオン制御し、給水量設定手段７４が備える浸種用給水プログラム（Ｄ）に基づいて給水ポンプ２３を後述するように制御して噴霧ノズル２２から種子コーティング容器４１に水を噴出させる。給水制御手段７３は、給水ポンプ２３の駆動時間を基に給水量を計測し、計測給水量Ｗ２Ｋが給水量設定手段７４による浸種用の設定給水量Ｗ２に達すると、給水部２０の給水運転をオフ制御し、給水ポンプ２３を停止制御して給水を停止する。
【００７７】
繰出し制御手段７１は、スタートスイッチ６０から指令を入力すると、繰出し部１３の繰出し運転をオン制御し、繰出し量設定手段７２が備える浸種用繰出しプログラム（Ｂ）に基づいて繰出しモータ１４を後述するように制御して供給シュータ１２から種子コーティング容器４１に種子コーティング剤を供給する。繰出し制御手段７１は、繰出し回転体１３ｂの回転数を検出する回転数センサ２６による検出情報を基に種子コーティング剤の繰出し量を計測し、計測繰出し量Ｑ２Ｋが繰出し量設定手段７２による浸種用の設定繰出し量Ｑ２に達すると、繰出し部１３の繰出し運転をオフ制御し、繰出しモータ１４を停止させて種子コーティング剤の供給を停止する。
【００７８】
図９は、給水制御手段７３による給水運転のオン制御、及び繰出し制御手段７１による繰出し運転のオン制御におけるタイムチャートを示す説明図である。
【００７９】
図９に示すように、給水制御手段７３は、乾燥種モードにおいて、乾燥種用給水プログラム（Ｃ）の他に、乾燥種用繰出しプログラム（Ａ）にも基づく給水運転の制御を行い、浸種モードにおいて、浸種用給水プログラム（Ｄ）の他に、浸種用繰出しプログラム（Ｂ）にも基づく給水運転の制御を行い、乾燥種モードと浸種モードとのいずれにおいても、設定給水量Ｗ１，Ｗ２の水を複数回に分けて、かつ繰出し部１３による種子コーティング剤の繰り出し開始に先立って給水を開始する状態で、さらに繰出し部１３による種子コーティング剤の繰り出し終了よりも後に給水を終了する状態で、さらに給水と種子コーティング剤の供給とが交互になる状態で給水を行わせる。
【００８０】
図９に示すように、繰出し制御手段７１は、乾燥種モードにおいて、乾燥種用繰出しプログラム（Ａ）の他に、乾燥種給水プログラム（Ｃ）にも基づく繰出し運転の制御を行い、浸種モードにおいて、浸種用繰出しプログラム（Ｂ）の他に、浸種用給水プログラム（Ｄ）にも基づく繰り出し運転の制御を行い、乾燥種モードと浸種モードとのいずれにおいても、設定繰出し量Ｑ１，Ｑ２の種子コーティング剤を複数回に分けて、かつ給水部２０による給水開始より遅れて繰出しを開始する状態で、さらに給水部２０による給水終了に先立って繰出しを終了する状態で、さらに給水と種子コーティング剤の供給とが交互になる状態で種子コーティング剤の供給を行わせる。
【００８１】
図６に示すように、制御装置７０に撹拌制御手段７５を備えてある。
撹拌制御手段７５は、コーティングマシン４０における撹拌モータ４３の電源コード４５を制御ボックス５に設けてあるコンセント６４（図１参照）に接続しておけば、スタートスイッチ６０から指令を入力することにより、図９に示す如く撹拌モータ４３の制御を自動的に行い、給水部２０による給水開始と同じあるいはほぼ同じタイミングで種子コーティング容器４１の回転を開始させ、給水部２０による給水及び繰出し部１３による種子コーティング剤の供給が終了してから設定経過時間が経過するまで種子コーティング容器４１の回転を継続させる。
【００８２】
〔別実施例〕
（１）上記した実施例では、給水部２０によって水を供給するよう構成した例を示したが、薬剤を水に混入して、水と共に供給するよう構成して実施してもよい。
【００８３】
（２）上記した実施例では、給水部２０を備えた例を示したが、給水部２０を備えずに実施してもよい。
【００８４】
（３）上記した実施例では、昇降操作機構５０を備えた例を示したが、昇降操作機構５０を備えずに実施してもよい。
【００８５】
（４）上記した実施例では、供給シュータ１２を筒状に構成した例を示したが、機体上方向きに開口した樋状に構成して実施してもよい。
【産業上の利用可能性】
【００８６】
本発明は、鉄コーティング種子を製造するための種子コーティング剤供給装置の他、カルパーコーティング種子など、鉄以外の各種のコーティング剤でコーティングされるコーティング種子を製造するための種子コーティング剤供給装置や、水稲用種子以外の各種の種子のコーティングのための種子コーティング剤供給装置にも利用可能である。
【符号の説明】
【００８７】
１，２        移動用車輪
３            機体
４            固定ハンドル
１１          コーティング剤タンク
１２          供給シュータ
１２ａ        供給口
１２Ｄ        底側部
１２Ｕ        上側部
１３          繰出し部
２２          噴霧ノズル
２２ａ        先端
３０          基部機体
３５          昇降機体部
４１          種子コーティング容器
５０          昇降操作機構
５５          位置決め部
７１          繰出し制御手段
７２          繰出し量設定手段
７３          給水制御手段
７４          給水量設定手段
Ｑ１，Ｑ２    設定繰出し量
Ｗ１，Ｗ２    設定給水量
【図１】
2014135912.tif 000003
【図２】
2014135912.tif 000004
【図３】
2014135912.tif 000005
【図４】
2014135912.tif 000006
【図５】
2014135912.tif 000007
【図６】
2014135912.tif 000008
【図７】
2014135912.tif 000009
【図８】
2014135912.tif 000010
【図９】
2014135912.tif 000011